(57)【要約】【課題】  音量や音質をほとんど劣化させずにハウリングを抑止する携帯電話端末用のハウリング抑圧装置を提供する。【解決手段】  エコーキャンセラー搭載携帯電話端末におけるハウリング防止装置１は、第１のＦＦＴ処理部６により、エコーキャンセラー５から出力される送話信号をＦＦＴ処理し、信号処理部７により、約２[kHz]以上の帯域の内、最も信号レベルの大きな所定帯域幅の帯域の信号レベルを低下させ、第１の逆ＦＦＴ処理部８で逆ＦＦＴ処理して回線側に出力する。他方、受話信号については、第２のＦＦＴ処理部１２によりＦＦＴ処理し、信号処理部７により、受話信号の帯域の内、送話信号について信号レベルを低下させた帯域と同じ帯域の信号レベルを低下させ、第２の逆ＦＦＴ処理部１１で逆ＦＦＴ処理してエコーキャンセラー５に出力する。【選択図】  図１
2005252761.tif 000002
【特許請求の範囲】
【請求項１】
エコーキャンセラー搭載携帯電話端末におけるハウリング抑圧方法において、エコーキャンセラーより出力される送話信号について、約２[kHz]以上の帯域の内、最も信号レベルの大きな所定帯域幅の帯域の信号レベルを低下させるとともに、受話信号について先の帯域と同じ帯域の信号レベルを低下させてエコーキャンセラーに出力することを特徴とするハウリング抑圧方法。
【請求項２】
エコーキャンセラー搭載携帯電話端末におけるハウリング抑圧方法において、エコーキャンセラーより出力される送話信号について、約２[kHz]以上の帯域の内、最も信号レベルの大きな所定帯域幅の帯域の信号レベルを低下させるとともに、受話信号について、約２[kHz]以上の帯域の内、最も信号レベルの大きな所定帯域幅の帯域の信号レベルを低下させてエコーキャンセラーに出力することを特徴とするハウリング抑圧方法。
【請求項３】
エコーキャンセラー搭載携帯電話端末におけるハウリング抑圧方法において、
ａ）エコーキャンセラーから出力される送話信号をＦＦＴ処理し、該ＦＦＴ処理した送話信号について、約２[kHz]以上の帯域の内、最も信号レベルの大きな所定帯域幅の帯域の信号レベルを低下させ、その処理後の送話信号を逆ＦＦＴ処理して出力するステップ、
ｂ）受話信号をＦＦＴ処理し、該ＦＦＴ処理した受話信号の帯域の内、前記送話信号の信号レベルを低下させた帯域と同じ帯域の信号レベルを低下させ、その処理後の受話信号を逆ＦＦＴ処理して出力するステップ、
を含むことを特徴とするハウリング抑圧方法。
【請求項４】
エコーキャンセラー搭載携帯電話端末におけるハウリング抑圧方法において、
ａ）エコーキャンセラーから出力される送話信号をＦＦＴ処理し、該ＦＦＴ処理した送話信号について、約２[kHz]以上の帯域の内、最も信号レベルの大きな所定帯域幅の帯域の信号レベルを低下させ、その処理後の送話信号を逆ＦＦＴ処理して出力するステップ、
ｂ）受話信号をＦＦＴ処理し、該ＦＦＴ処理した受話信号について、約２[kHz]以上の帯域の内、最も信号レベルの大きな所定帯域幅の帯域の信号レベルを低下させ、その処理後の受話信号を逆ＦＦＴ処理して出力するステップ、
を含むことを特徴とするハウリング抑圧方法。
【請求項５】
前記所定帯域幅を約500[Hz]とすることを特徴とする請求項１乃至４の何れか１項に記載のハウリング抑圧方法。
【請求項６】
抑圧する帯域として、約２[kHz]〜約４[kHz]の間で約250[Hz]ずつ重複する７つの帯域から選択することを特徴とする請求項５記載のハウリング抑圧方法。
【請求項７】
抑圧量の範囲を約６[dB]〜約12[dB]にすることを特徴とする請求項１乃至６の何れか１項に記載のハウリング抑圧方法。
【請求項８】
エコーキャンセラー搭載携帯電話端末におけるハウリング抑圧装置において、エコーキャンセラーより出力される送話信号について、約２[kHz]以上の帯域の内、最も信号レベルの大きな所定帯域幅の帯域の信号レベルを低下させるとともに、受話信号について先の帯域と同じ帯域の信号レベルを低下させてエコーキャンセラーに出力することを特徴とするハウリング抑圧装置。
【請求項９】
エコーキャンセラー搭載携帯電話端末におけるハウリング抑圧装置において、エコーキャンセラーより出力される送話信号について、約２[kHz]以上の帯域の内、最も信号レベルの大きな所定帯域幅の帯域の信号レベルを低下させるとともに、受話信号について、約２[kHz]以上の帯域の内、最も信号レベルの大きな所定帯域幅の帯域の信号レベルを低下させてエコーキャンセラーに出力することを特徴とするハウリング抑圧装置。
【請求項１０】
エコーキャンセラー搭載携帯電話端末におけるハウリング抑圧装置において、エコーキャンセラーから出力される送話信号をＦＦＴ処理して出力する第１のＦＦＴ処理部と、入力された信号を逆ＦＦＴ処理して出力する第１の逆ＦＦＴ処理部と、受話信号をＦＦＴ処理して出力する第２のＦＦＴ処理部と、入力された信号を逆ＦＦＴ処理してエコーキャンセラーに出力する第２の逆ＦＦＴ処理部と、前記第１のＦＦＴ処理部から出力される送話信号について、約２[kHz]以上の帯域の内、最も信号レベルの大きな所定帯域幅の帯域の信号レベルを低下させて前記第１の逆ＦＦＴ処理部に出力し、前記第２のＦＦＴ処理部から出力される受話信号の帯域の内、前記送話信号について信号レベルを低下させた帯域と同じ帯域の信号レベルを低下させて前記第２の逆ＦＦＴ処理部に出力する信号処理部とを備えることを特徴とするハウリング抑圧装置。
【請求項１１】
エコーキャンセラー搭載携帯電話端末におけるハウリング抑圧装置において、エコーキャンセラーから出力される送話信号をＦＦＴ処理して出力する第１のＦＦＴ処理部と、入力された信号を逆ＦＦＴ処理して出力する第１の逆ＦＦＴ処理部と、受話信号をＦＦＴ処理して出力する第２のＦＦＴ処理部と、入力された信号を逆ＦＦＴ処理してエコーキャンセラーに出力する第２の逆ＦＦＴ処理部と、前記第１のＦＦＴ処理部から出力される送話信号について、約２[kHz]以上の帯域の内、最も信号レベルの大きな所定帯域幅の帯域の信号レベルを低下させて前記第１の逆ＦＦＴ処理部に出力し、前記第２のＦＦＴ処理部から出力される受話信号について、約２[kHz]以上の帯域の内、最も信号レベルの大きな所定帯域幅の帯域の信号レベルを低下させて前記第２の逆ＦＦＴ処理部に出力する信号処理部とを備えることを特徴とするハウリング抑圧装置。
【請求項１２】
前記所定帯域幅を約500[Hz]とすることを特徴とする請求項８乃至１１の何れか１項に記載のハウリング抑圧装置。
【請求項１３】
抑圧する帯域として、約２[kHz]〜約４[kHz]の間で約250[Hz]ずつ重複する７つの帯域から選択することを特徴とする請求項１２記載のハウリング抑圧装置。
【請求項１４】
抑圧量の範囲を約６[dB]〜約12[dB]にすることを特徴とする請求項８乃至１３の何れか１項に記載のハウリング抑圧装置。
【発明の詳細な説明】
【技術分野】
【０００１】
本発明は携帯電話端末用のハウリング抑圧方法および装置に関し、より具体的には、送受話信号の通話品質に大きく影響を与えない約２[kHz]以上の周波数領域について、信号レベルの大きい周波数帯を検出し、その周波数帯の信号レベルを、通話品質に大きく影響を与えない約500[Hz]の帯域幅で抑圧することでハウリングを抑圧する方法及び装置に関する。
【背景技術】
【０００２】
近年、ハンズフリー機能付き携帯電話端末が多く開発されている。携帯電話端末を使用したハンズフリー通話では、スピーカとマイクの距離を遠くできないために、スピーカから出力された音声がマイクに漏れこみ、ハウリングが発生し易い。このため、ハンズフリー通話の実現には、ハウリングを抑圧する技術が重要である。
【０００３】
携帯電話端末を使用したハンズフリー通話でハウリングを抑圧する一般的な方法は、適応フィルタを使用したエコーキャンセラーを搭載することである。しかし、携帯電話は屋外での使用等、周囲環境の変化が非常に大きいために、エコーキャンセラーで正確な擬似エコー生成が行えず、場合によりハウリングが発生するという問題があった。この問題を解決するため、例えば特許文献１に記載される「ハウリング抑圧方法及び装置」は、エコーキャンセラーの誤差信号を利用して時変性ノッチフィルタを操作してハウリングを抑制する方法を提供している。しかし、この方法は通話している２人が同時に話す状況(ダブルトーク)や、風及び周囲騒音等の外的要因によりエコーパス変動が頻繁にかつ大きく発生している場合には送話音声を過剰に抑圧したり、発生したハウリングを抑圧できないという問題があった。
【０００４】
他方、特許文献２には、マイクで拾った音声を増幅してスピーカから出力する拡声器において、音声入力信号をＦＦＴ(Fast Fourier Transform:高速フーリエ変換)処理によって周波数分析し、或る一定レベル以上かつ或る一定期間以上継続する周波数成分を含む帯域を、20[Hz]から10.24[kHz]の間の20[Hz]毎に求め、この求めた帯域の周波数成分をＦＦＴ出力から減じ、この補正後のＦＦＴ出力を逆ＦＦＴ処理して音響再生出力を生成することにより、ハウリングが発生した場合にそれを抑止するハウリング防止装置が記載されている。
【特許文献１】特開2000-92588号公報
【特許文献２】特許第2786643号公報
【発明の開示】
【発明が解決しようとする課題】
【０００５】
前述したように携帯電話端末を使用したハンズフリー通話では、ハウリングの原因となる信号成分をエコーキャンセラーで確実に除去するのは困難である。エコーキャンセラーと特許文献２に記載される技術とを組み合わせることも考えられるが、特許文献２に記載される技術は、ハウリングが発生した後でなければハウリングの原因となる信号成分を抑圧できないため、ハウリングの発生自体を防ぐことが困難である。また、或る一定レベル以上かつ或る一定期間以上継続している帯域であれば、その帯域が20[Hz]から10.24[kHz]の間のどの帯域であっても周波数成分を抑圧するため、音量が低下したり、音質が劣化する問題がある。
【０００６】
本発明はこのような事情に鑑みて提案されたものであり、その目的は、音量や音質をほとんど劣化させずにハウリングを抑止することにある。
【課題を解決するための手段】
【０００７】
本発明の第１のハウリング抑圧方法は、エコーキャンセラー搭載携帯電話端末におけるハウリング抑圧方法において、エコーキャンセラーより出力される送話信号について、約２[kHz]以上の帯域の内、最も信号レベルの大きな所定帯域幅の帯域の信号レベルを低下させるとともに、受話信号について先の帯域と同じ帯域の信号レベルを低下させてエコーキャンセラーに出力することを特徴とする。
【０００８】
本発明の第２のハウリング抑圧方法は、エコーキャンセラー搭載携帯電話端末におけるハウリング抑圧方法において、エコーキャンセラーより出力される送話信号について、約２[kHz]以上の帯域の内、最も信号レベルの大きな所定帯域幅の帯域の信号レベルを低下させるとともに、受話信号について、約２[kHz]以上の帯域の内、最も信号レベルの大きな所定帯域幅の帯域の信号レベルを低下させてエコーキャンセラーに出力することを特徴とする。
【０００９】
本発明の第３のハウリング抑圧方法は、エコーキャンセラー搭載携帯電話端末におけるハウリング抑圧方法において、ａ）エコーキャンセラーから出力される送話信号をＦＦＴ処理し、該ＦＦＴ処理した送話信号について、約２[kHz]以上の帯域の内、最も信号レベルの大きな所定帯域幅の帯域の信号レベルを低下させ、その処理後の送話信号を逆ＦＦＴ処理して出力するステップ、ｂ）受話信号をＦＦＴ処理し、該ＦＦＴ処理した受話信号の帯域の内、前記送話信号の信号レベルを低下させた帯域と同じ帯域の信号レベルを低下させ、その処理後の受話信号を逆ＦＦＴ処理して出力するステップ、を含むことを特徴とする。
【００１０】
本発明の第４のハウリング抑圧方法は、エコーキャンセラー搭載携帯電話端末におけるハウリング抑圧方法において、ａ）エコーキャンセラーから出力される送話信号をＦＦＴ処理し、該ＦＦＴ処理した送話信号について、約２[kHz]以上の帯域の内、最も信号レベルの大きな所定帯域幅の帯域の信号レベルを低下させ、その処理後の送話信号を逆ＦＦＴ処理して出力するステップ、ｂ）受話信号をＦＦＴ処理し、該ＦＦＴ処理した受話信号について、約２[kHz]以上の帯域の内、最も信号レベルの大きな所定帯域幅の帯域の信号レベルを低下させ、その処理後の受話信号を逆ＦＦＴ処理して出力するステップ、を含むことを特徴とする。
【００１１】
本発明の第５のハウリング抑圧方法は、第１乃至第４の何れかのハウリング抑圧方法において、前記所定帯域幅を約500[Hz]とすることを特徴とする。
【００１２】
本発明の第６のハウリング抑圧方法は、第５のハウリング抑圧方法において、抑圧する帯域として、約２[kHz]〜約４[kHz]の間で約250[Hz]づつ重複する７つの帯域から選択することを特徴とする。
【００１３】
本発明の第７のハウリング抑圧方法は、第１乃至第６の何れかのハウリング抑圧方法において、抑圧量の範囲を約６[dB]〜約12[dB]にすることを特徴とする。
【００１４】
本発明の第１のハウリング抑圧装置は、エコーキャンセラー搭載携帯電話端末におけるハウリング抑圧装置において、エコーキャンセラーより出力される送話信号について、約２[kHz]以上の帯域の内、最も信号レベルの大きな所定帯域幅の帯域の信号レベルを低下させるとともに、受話信号について先の帯域と同じ帯域の信号レベルを低下させてエコーキャンセラーに出力することを特徴とする。
【００１５】
本発明の第２のハウリング抑圧装置は、エコーキャンセラー搭載携帯電話端末におけるハウリング抑圧方法において、エコーキャンセラーより出力される送話信号について、約２[kHz]以上の帯域の内、最も信号レベルの大きな所定帯域幅の帯域の信号レベルを低下させるとともに、受話信号について、約２[kHz]以上の帯域の内、最も信号レベルの大きな所定帯域幅の帯域の信号レベルを低下させてエコーキャンセラーに出力することを特徴とする。
【００１６】
本発明の第３のハウリング抑圧装置は、エコーキャンセラー搭載携帯電話端末におけるハウリング抑圧装置において、エコーキャンセラーから出力される送話信号をＦＦＴ処理して出力する第１のＦＦＴ処理部と、入力された信号を逆ＦＦＴ処理して出力する第１の逆ＦＦＴ処理部と、受話信号をＦＦＴ処理して出力する第２のＦＦＴ処理部と、入力された信号を逆ＦＦＴ処理してエコーキャンセラーに出力する第２の逆ＦＦＴ処理部と、前記第１のＦＦＴ処理部から出力される送話信号について、約２[kHz]以上の帯域の内、最も信号レベルの大きな所定帯域幅の帯域の信号レベルを低下させて前記第１の逆ＦＦＴ処理部に出力し、前記第２のＦＦＴ処理部から出力される受話信号の帯域の内、前記送話信号について信号レベルを低下させた帯域と同じ帯域の信号レベルを低下させて前記第２の逆ＦＦＴ処理部に出力する信号処理部とを備えることを特徴とする。
【００１７】
本発明の第４のハウリング抑圧装置は、エコーキャンセラー搭載携帯電話端末におけるハウリング抑圧装置において、エコーキャンセラーから出力される送話信号をＦＦＴ処理して出力する第１のＦＦＴ処理部と、入力された信号を逆ＦＦＴ処理して出力する第１の逆ＦＦＴ処理部と、受話信号をＦＦＴ処理して出力する第２のＦＦＴ処理部と、入力された信号を逆ＦＦＴ処理してエコーキャンセラーに出力する第２の逆ＦＦＴ処理部と、前記第１のＦＦＴ処理部から出力される送話信号について、約２[kHz]以上の帯域の内、最も信号レベルの大きな所定帯域幅の帯域の信号レベルを低下させて前記第１の逆ＦＦＴ処理部に出力し、前記第２のＦＦＴ処理部から出力される受話信号について、約２[kHz]以上の帯域の内、最も信号レベルの大きな所定帯域幅の帯域の信号レベルを低下させて前記第２の逆ＦＦＴ処理部に出力する信号処理部とを備えることを特徴とする。
【００１８】
本発明の第５のハウリング抑圧装置は、第１乃至第４のハウリング抑圧装置において、前記所定帯域幅を約500[Hz]とすることを特徴とする。
【００１９】
本発明の第６のハウリング抑圧装置は、第５のハウリング抑圧装置において、抑圧する帯域として、約２[kHz]〜約４[kHz]の間で約250[Hz]ずつ重複する７つの帯域から選択することを特徴とする。
【００２０】
本発明の第７のハウリング抑圧装置は、第１乃至第６のハウリング抑圧装置において、抑圧量の範囲を約６[dB]〜約12[dB]にすることを特徴とする。
【発明の効果】
【００２１】
本発明によれば、音量や音質をほとんど劣化させずにハウリングを抑止することができる。その理由は、エコーキャンセラーより出力される送話信号について、送受話信号の通話品質に大きな影響を与えない約２[kHz]以上の帯域の内、最も信号レベルの大きな所定帯域幅の帯域の信号レベルを低下させるとともに、受話信号について先の帯域と同じ帯域の信号レベルを低下させてエコーキャンセラーに出力するか、或いは、約２[kHz]以上の帯域の内、最も信号レベルの大きな所定帯域幅の帯域の信号レベルを低下させてエコーキャンセラーに出力するためである。
【発明を実施するための最良の形態】
【００２２】
図１は、本発明の一実施例のブロック図である。本発明による携帯電話端末用ハウリング防止装置は、図示されない携帯電話端末に組み込んで使用される。図１を参照すると、本発明の一実施例にかかる携帯電話端末用ハウリング防止装置１は、エコーキャンセラー５よりも回線側に配置され、第１のＦＦＴ(Fast Fourier Transform)処理部６と、信号処理部７と、第１の逆ＦＦＴ処理部８と、第２の逆ＦＦＴ処理部11と、第２のＦＦＴ処理部12とを含んで構成される。
【００２３】
マイク２は、Ａ／Ｄ変換器３と接続されており、送話者の音声を集音し、アナログ送信信号としてＡ／Ｄ変換器３に送る。Ａ／Ｄ変換器３は、マイク２と送信アンプ４とに接続されており、マイク２から送られたアナログ送信信号を所定の周波数でサンプリングし、デジタル信号に変換して送信アンプ４に送る。送信アンプ４は、Ａ／Ｄ変換器３とエコーキャンセラー５とに接続されており、Ａ／Ｄ変換器３から送られた各サンプリング点のデジタル信号を増幅してエコーキャンセラー５に送る。エコーキャンセラー５は、適応フィルタで構成され、送信アンプ４、第１のＦＦＴ処理部６、Ｄ／Ａ変換器10及び第２の逆ＦＦＴ変換器11とに接続されており、第２の逆ＦＦＴ処理部11から送られた受話信号を基に模擬エコー信号を生成し、送信アンプ４から送られた送話信号から模擬エコー信号を減算することでエコー信号除去を行う。
【００２４】
第１のＦＦＴ処理部６は、エコーキャンセラー５と信号処理部７とに接続されており、エコーキャンセラー５から送られてきたエコー信号除去後の送話時間領域信号を4096点ＦＦＴ処理して送話周波数領域信号に変換し信号処理部７に送る。信号処理部７は、第１のＦＦＴ処理部６、第１の逆ＦＦＴ処理部８、第２の逆ＦＦＴ処理部11及び第２のＦＦＴ処理部12とに接続されており、第１のＦＦＴ処理部６から送られた送話周波数領域信号から、２〜４[kHz]の周波数帯域において信号強度が最も大きい帯域幅500[Hz]の周波数帯域を検出し、その帯域の信号強度を６[dB]低下させた後に第１の逆ＦＦＴ処理部８へ送る。その後、第２のＦＦＴ処理部12から送られた受話周波数領域信号に対し、先に検出した周波数帯域と同じ周波数帯域の信号強度を６[dB]低下させた後に第２の逆ＦＦＴ処理部11へ送る。第１の逆ＦＦＴ処理部８は、信号処理部７と図示しない符号器とに接続されており、信号処理部７から送られた送話周波数領域信号を逆ＦＦＴ処理して時間領域信号に変換し図示しない符号器に送る。
【００２５】
スピーカ９は、Ｄ／Ａ変換器10と接続されており、Ｄ／Ａ変換器10から送られた電気信号を音声に変換して放音する。Ｄ／Ａ変換器10は、スピーカ９とエコーキャンセラー５とに接続されており、エコーキャンセラー５から送られたデジタル信号をアナログ信号に変換し、スピーカ９に送る。第２の逆ＦＦＴ処理部11は、エコーキャンセラー５と信号処理部７とに接続されており、信号処理部７から送られた受話周波数領域信号を逆ＦＦＴ処理して時間領域信号に変換しエコーキャンセラー５に送る。第２のＦＦＴ処理部12は、信号処理部７と受信アンプ13とに接続されており、受信アンプ13から送られた受話時間領域信号を4096点ＦＦＴ処理して受話周波数領域信号に変換して信号処理部７に送る。受信アンプ13は、図示しない復号器と第２のＦＦＴ処理部12とに接続されており、図示しない復号器から送られたデジタルな受話信号を増幅して第２のＦＦＴ処理部12に送る。
【００２６】
図２は信号処理部７の処理例を示すフローチャートである。信号処理部７は、第１のＦＦＴ処理部６から送話信号を受け取り(ステップＡ１)、図３に示す帯域番号１〜７の各帯域毎にその帯域の信号レベルを計算する(ステップＡ２)。具体的には、各周波数の信号レベルを、実部と虚部をそれぞれ２乗したものの和として計算し、各周波数の信号レベルを、図３の帯域番号１〜７の帯域毎に加算する。次に、各帯域の信号レベルを比較して、最も信号レベルの高い帯域における各周波数の信号レベルを６[dB]低下させる(ステップＡ３)。
【００２７】
ここで、図３に示されるように各帯域の帯域幅を５００[Hz]にした理由は、５００[Hz]より広い帯域で抑圧をかけると音量が低下してしまい、逆に５００[Hz]より狭いと十分なハウリング抑圧効果が得られない為である。また、隣接する帯域は、帯域幅の半分で重複させている。その理由は、ハウリングする周波数を確実に検出できるようにするためである。
【００２８】
その後、処理後の送話信号を第１の逆ＦＦＴ処理部８へ送る(ステップＡ４)。続いて第２のＦＦＴ処理部12から受話信号を受け取り(ステップＡ５)、ステップＡ３で信号レベルを低下させた帯域と同じ帯域の各周波数の信号レベルを６[dB]低下させる(ステップＡ６)。その後、処理後の受話信号を第２の逆ＦＦＴ処理部11へ送る(ステップＡ７)。そして、ステップＡ１に戻って上述した処理を繰り返す。
【００２９】
本実施例によれば、以下のような効果が得られる。
【００３０】
第１の効果は、エコーキャンセラー５によるエコー信号除去効果が不十分な状況にあっても、ハウリングの抑圧が可能になることである。その理由は、送話信号に対して、ハウリングの発生する２[kHz]以上の帯域の内、最も信号レベルの高い帯域の各周波数の信号レベルを６[dB]低下させ、受話信号の同じ帯域についても６[dB]低下させるからである。
【００３１】
第２の効果は、ハウリングを抑制しつつ、送話音声及び受話音声の音量維持が可能になることである。その理由は、音声のエネルギーは低周波数領域に集中しており、エネルギーが低域に比べ少ない２[kHz]以上の帯域について、帯域幅５００[Hz]の範囲でのみ抑圧を行うためである。
【００３２】
第３の効果は、ハウリングの発生自体を防ぐことができることである。その理由は、ハウリングの発生する２[kHz]以上の帯域の内、最も信号レベルの高い帯域の各周波数の信号レベルを６[dB]低下させ、受話信号の同じ帯域についても６[dB]低下させる処理を、ハウリングの発生の有無にかかわらず常時行っているからである。
【００３３】
第４の効果は、ハウリングを抑制しつつ、送話音声及び受話音声の音質劣化を防止できることである。その理由は、特許文献２の従来技術と違って音質に影響する２[kHz]以下の帯域の周波数成分は抑圧しないからである。
【００３４】
図１の実施例では、受話信号の帯域の内、どの帯域の信号レベルを抑圧するかを送話信号側で決定された帯域から一意に決定することで処理を簡便にしたが、受話信号も送話信号と同様の方法で信号レベルを抑圧する帯域を決定することもできる。その場合の信号処理部７の処理例を図４に示す。
【００３５】
図４を参照すると、図２のステップＡ６の処理の代わりにステップＡ８、ステップＡ９が追加されている。ステップＡ８において、信号処理部７は、第２のＦＦＴ処理部１２から受け取った受話信号における図３に示した帯域番号１〜７の各帯域毎にその帯域の信号レベルを計算する。具体的には、各周波数の信号レベルを、実部と虚部をそれぞれ２乗したものの和として計算し、各周波数の信号レベルを、図３の帯域番号１〜７の帯域毎に加算する。続くステップＡ９において、各帯域の信号レベルを比較して、最も信号レベルの高い帯域における各周波数の信号レベルを６[dB]低下させる。これにより、送話と受話で抑圧される周波数帯域を独立に制御することができるため、ハウリングの発生をより確実に防ぐことができる。
【００３６】
以上の実施例では、第１のＦＦＴ処理部６と第２のＦＦＴ処理部12について、4096点ＦＦＴ処理としているが、ＦＦＴ処理部を構成する演算装置の性能に応じてＦＦＴの点数を少なくしても構わないし、逆に多くしてもよい。
【００３７】
また、信号レベルの低下量を６[dB]としているが、６[dB]以上低下させても構わない。ただし、音圧が低下する恐れがあるので、低下量は12[dB]までとすることが望ましい。
【００３８】
以上本発明の実施例について説明したが、本発明は以上の実施の形態にのみ限定されず、その他各種の付加変更が可能である。例えば、前述した実施例で示した２[kHz]、５００[Hz]、４[kHz]、250[Hz]、６[dB]、12[dB]の各数値は正確に一致する必要はなく、ほぼその値であれば良い。
【産業上の利用可能性】
【００３９】
以上のように、本発明にかかるハウリング抑圧方法及び装置は、携帯電話端末におけるハウリングを抑圧する方法および装置として有用であり、特にハンズフリー機能付き携帯電話端末においてハウリング自体の発生を防止し、またやむなく発生したハウリングを抑圧する方法および装置に用いるのに適している。
【図面の簡単な説明】
【００４０】
【図１】本発明の一実施例のブロック図である。
【図２】本発明の一実施例における信号処理部の処理例を示すフローチャートである。
【図３】抑圧する帯域の候補として、約２[kHz]〜約４[kHz]の間で約250[Hz]ずつ重複して設定された７つの帯域を示す図である。
【図４】本発明の別の実施例における信号処理部の処理例を示すフローチャートである。
【符号の説明】
【００４１】
１…携帯電話端末用ハウリング防止装置
２…マイク
３…Ａ／Ｄ変換器
４…送信アンプ
５…エコーキャンセラー
６…第１のＦＦＴ処理部
７…信号処理部
８…第１の逆ＦＦＴ処理部
９…スピーカ
10…Ｄ／Ａ変換器
11…第２の逆ＦＦＴ処理部
12…第２のＦＦＴ処理部
13…受信アンプ
【図１】
2005252761.tif 000003
【図２】
2005252761.tif 000004
【図３】
2005252761.tif 000005
【図４】
2005252761.tif 000006